(57)【要約】      （修正有）【課題】簡単に扉の位置調整が可能で、強度や耐久性の高い扉取り付け金具を提供する。【解決手段】アルミにより一体に形成され扉を軸支する扉支持部材３０と、扉支持部材３０に設けられたスライド部２４と、スライド部２４が挿入されるケース体１６から成る。ケース体１６に設けられスライド部２４を摺動可能に保持したスライド受け部１２と、スライド受け部１２に形成された長円状の係止穴２０と、スライド部２４と対面したスライド受け部１２の内面に形成され直線上に位置した凹凸から成る係止部２２を備える。係止部２２と対面したスライド部２４の一側面には、係止部２２に向かって膨らんだR面に形成されているとともに表面に係止部２２の凹凸と係合する凹凸が設けられた湾曲係合部３２を備える。湾曲係合部３２のＲ面の頂部両側には、一対の挿通孔が形成され、係止穴２０から一対の調整ボルト４２が挿通され、ナットによりスライド部２４を固定している。【選択図】図２
2008138500.tif 000002
【特許請求の範囲】
【請求項１】
アルミダイキャストにより一体に形成され扉を軸支する扉支持部材と、この扉支持部材に設けられたスライド部と、このスライド部が挿入されるアルミダイキャスト製のケース体と、前記ケース体に設けられ前記スライド部を摺動可能に保持したスライド受け部と、前記スライド受け部に形成された係止穴と、前記スライド部と対面した前記スライド受け部内面の前記係止穴に沿って形成され直線上に位置した凹凸から成る係止部と、この係止部と対面した前記スライド部の一側面であって前記係止部に向かって膨らんだR面に形成されているとともに表面に前記係止部の凹凸と係合する凹凸が設けられた湾曲係合部を備え、前記湾曲係合部のＲ面は前記湾曲係合部の長さより相対的に長い曲率半径のＲ面に形成され、この湾曲係合部のＲ面の頂部両側に位置して一対の挿通孔が形成され、前記スライド部の各挿通孔に貫通された調整ボルトと、この調整ボルト先端に螺合し前記スライド受け部の前記係止部と前記スライド部の前記湾曲係合部を当接させるナットを備え、前記調整ボルトを締め付けて前記扉支持部材の位置を調節し固定可能としたことを特徴とする扉取り付け金具。
【請求項２】
前記スライド受け部の内壁面に前記スライド部の挿通方向に溝を形成し、前記スライド部が延出した側面とは反対側の側面にボルト軸支部を設け、このボルト軸支部に位置決めボルトの頭部が係合し、前記スライド部の挿通方向に沿って前記湾曲係合部に位置して湾曲した半円弧状の雌ネジ部である湾曲螺合部を形成し、前記位置決めボルトの雄ネジ部を前記溝に当接させて、前記湾曲螺合部を前記位置決めボルトの雄ネジ部に螺合させ、前記位置決めボルトを回動させることにより前記スライド部が前記スライド受け部に対して相対的に移動可能としたことを特徴とする請求項１記載の扉取り付け金具。
【請求項３】
前記スライド部の各挿通孔は、内径が両端の各開口側から中心に向かって徐々に細くなり貫通方向断面形状が鼓状に形成され、前記スライド部の湾曲係合部の反対側の側面には前記各挿通孔の周囲に各々緩やかな湾曲凸部が形成され、前記係止穴と前記挿通孔に調整ボルトを挿入し、各湾曲凸部に対面して各々ナット又はボルトの頭部が当接し、前記スライド部を前記スライド受け部に対して揺動可能に保持したことを特徴とする請求項１または２記載の扉取り付け金具。
【請求項４】
前記調整ボルトは、前記スライド受け部の係止穴の周囲に形成された凹部内に頭部が嵌合し、前記ナットは、前記スライド部の前記湾曲凸部が形成された凹部に回転不能に嵌合したことを特徴とする請求項１または２記載の扉取り付け金具。
【請求項５】
前記調整ボルトは、前記スライド部の挿通孔の周囲に形成された凹部の湾曲凸部に頭部が当接し、前記ナットは、前記スライド受け部の背面側の取付面に設けられたことを特徴とする請求項１または２記載の扉取り付け金具。
【請求項６】
前記スライド受け部は、前記スライド部の幅とほぼ等しい幅の中空の嵌挿部を備え、前記スイライド部を摺動自在に保持したこと特徴とする請求項１または２記載の扉取り付け金具。
【発明の詳細な説明】
【技術分野】
【０００１】
この発明は、門扉などの扉を取付ける際に、多少の取付け位置の誤差やその他位置合わせが必要な場合に、位置調整を可能にした扉取り付け金具に関する。
【背景技術】
【０００２】
従来、門柱に扉を取付ける扉取り付け金具は、扉を支持する支持部が設けられた支持金具と、支持部が嵌合可能な受け金具が一対として設けられている。そして、扉を門柱に取り付けるには、門柱の側面に受け金具を取り付けて、扉に固定された支持金具の支持部と受け金具を嵌合して扉を開閉自在に取り付けている。
【０００３】
また、位置調整可能な扉取り付け金具として、特許文献１に開示されているように、門柱の所定の位置にネジ止め等により取付け板を固定し、扉の所定の位置に載せ板を固定して、載せ板の支持軸と取付け板の受け孔を嵌合して、取付け板上に扉の載せ板を載せる扉取り付け金具が開示されている。この取り付け板は、取り付け板本体とベース板により構成されている。位置調整は、ベース板に形成された突条に取付け板本体を当接させた状態で、取り付け板本体を固定しているビスを緩め、取付け板をその長孔方向へ移動可能として調整し、さらに、ベース板上の突条を中心にして取付け板本体を所望の向きに傾けることにより行う。これにより、取付け板の受け孔の位置が最適になる様に調整可能なものである。
【特許文献１】実用新案登録第３０１４９４７号公報
【発明の開示】
【発明が解決しようとする課題】
【０００４】
上記従来の技術では、門柱に受け金具を取り付け、扉に固定された支持金具の支持部を受け金具に嵌合して、門柱に扉を取り付けた状態では、工場生産された寸法精度の高いアルミニウム製の門柱や扉であっても、現場施工による傾きや、扉間の距離の誤差が生じる可能性があった。そのため、門扉の支持金具と門柱の受け金具の位置を調整できるように、ボルト挿通孔を長穴にする等により微調整可能としていた。しかし、前後左右等の位置ずれに対して十分な調整ができず、両扉の間に必要以上の隙間が生じたり、逆に扉の自由端側が他方の扉や門柱等に当接して干渉することがあった。
【０００５】
また、特許文献１に開示された門扉扉取り付け金具では、門柱に取り付けられたベース板に形成された突条と、取り付け板本体の内面に形成された凹凸部により位置調整し、突条の両側の貫通孔にネジが嵌挿され固定される。そして、扉の加重は、このネジで受けている。そのため、扉の重量や開閉時の負荷がネジに集中し、耐久性が低いものであった。さらに、調整作業時には、ネジに加わる荷重のため、ネジを回し難く調整作業が面倒であった。
【０００６】
この発明は、上記従来技術の問題に鑑みて成されたもので、簡単に扉の位置調整が可能で、強度や耐久性の高い扉取り付け金具を提供することを目的とする。
【課題を解決するための手段】
【０００７】
この発明は、アルミダイキャストにより一体に形成され扉を軸支する扉支持部材と、この扉支持部材に設けられたスライド部と、このスライド部が挿入されるアルミダイキャスト製のケース体と、前記ケース体に設けられ前記スライド部を摺動可能に保持したスライド受け部と、前記スライド受け部に形成された係止穴と、前記スライド部と対面した前記スライド受け部内面の前記係止穴に沿って形成され直線上に位置した凹凸から成る係止部と、この係止部と対面した前記スライド部の一側面であって前記係止部に向かって膨らんだR面に形成されているとともに表面に前記係止部の凹凸と係合する凹凸が設けられた湾曲係合部を備え、前記湾曲係合部のＲ面は前記湾曲係合部の長さより相対的に長い曲率半径のＲ面に形成され、この湾曲係合部のＲ面の頂部両側に位置して一対の挿通孔が形成され、前記スライド部の各挿通孔に貫通された調整ボルトと、この調整ボルト先端に螺合し前記スライド受け部の前記係止部と前記スライド部の前記湾曲係合部を当接させるナットを備え、前記調整ボルトを締め付けて前記扉支持部材の位置を調節し固定可能とした扉取り付け金具である。
【０００８】
この発明はさらに、前記スライド受け部の内壁面に前記スライド部の挿通方向に溝を形成し、前記スライド部が延出した側面とは反対側の側面にボルト軸支部を設け、このボルト軸支部に位置決めボルトの頭部が係合し、前記スライド部の挿通方向に沿って前記湾曲係合部に位置して湾曲した半円弧状の雌ネジ部である湾曲螺合部を形成し、前記位置決めボルトの雄ネジ部を前記溝に当接させて、前記湾曲螺合部を前記位置決めボルトの雄ネジ部に螺合させ、前記位置決めボルトを回動させることにより前記スライド部が前記スライド受け部に対して相対的に移動可能とした扉取り付け金具である。
【０００９】
前記スライド部の各挿通孔は、内径が両端の各開口側から中心に向かって徐々に細くなり貫通方向断面形状が鼓状に形成され、前記スライド部の湾曲係合部の反対側の側面には前記各挿通孔の周囲に各々緩やかな湾曲凸部が形成され、前記係止穴と前記挿通孔に調整ボルトを挿入し、各湾曲凸部に対面して各々ナット又はボルトの頭部が当接し、前記スライド部を前記スライド受け部に対して揺動可能に保持したものである。
【００１０】
また、前記調整ボルトは、前記スライド受け部の係止穴の周囲に形成された凹部内に頭部が嵌合し、前記ナットは、前記スライド部の前記湾曲凸部が形成された凹部に回転不能に嵌合したものである。
【００１１】
または、前記調整ボルトは、前記スライド部の挿通孔の周囲に形成された凹部の湾曲凸部に頭部が当接し、前記ナットは、前記スライド受け部の背面側の取付面に設けられているものである。
【００１２】
前記スライド受け部は、前記スライド部の幅とほぼ等しい幅の中空の嵌挿部を備え、前記スイライド部を摺動自在に保持したものである。
【発明の効果】
【００１３】
この発明の扉取り付け金具よれば、部品数が少なく、アルミ合金製であり錆びず、耐久性も高いものである。さらに、少ない部品点数で正確な調整が容易に可能である。ケース体により扉支持部材のスライド部を収容し、スライド受け部の面で扉の荷重を受けるため取り付け強度も高く、２本のネジにより簡単に、扉の取り付け位置の調整ができるものである。
【発明を実施するための最良の形態】
【００１４】
以下、この発明の扉取り付け金具の第一実施形態について、図１〜図６を基にして説明する。この実施形態の扉取り付け金具１０は、図１に示すように、アルミニウム合金によるアルミダイキャスト製の略直方体の、中空のスライド受け部１２を有したケース体１６を備えている。ケース体１６には、スライド受け部１２の一側面の両側であって長手方向の側縁部からその長手方向と直交する方向に延出し、互いに面一に位置した一対の取付片１４が各々設けられている。取付片１４には、図１、図２に示すように、貫通した複数の取り付け穴１４ａが各々形成されている。
【００１５】
スライド受け部１２の正面中央には、図２（ｂ）に示すように、長手方向に沿って長円状の窪みである凹部１８が設けられ、凹部１８の内側中央には、長円状の貫通孔である係止穴２０が形成されている。また、スライド受け部１２の背面は、開口しているとともに、長手方向の一方の端面も開口し、中空の内部が嵌挿部１２ａとして形成されている。さらに、スライド受け部１２の内面の係止穴２０の背面側には、図２（ａ）、図５に示すように、係止穴２０の長手方向に沿って直線上に位置した凹凸部から成る係止部２２が形成されている。
【００１６】
スライド受け部１２には、図示するように、略直方体状のスライド部２４が嵌挿されている。スライド部２４は、アルミニウム合金によるアルミダイキャストにより形成され、スライド受け部１２への挿入方向基端部には、円柱状の軸支部２６が一体に設けられている。さらに、軸支部２６には、セラミックや樹脂などから形成された円柱状の支持軸２８が図示しないボルトなどで固定されている。スライド部２４、軸支部２６、及び支持軸２８により、図６に示す扉５０を水平方向に調整するとともに前後にも揺動自在に軸支する扉支持部材３０を構成している。スライド受け部１２の嵌挿部１２ａに挿入されたスライド部２４の、係止穴２０に対面する側面は、スライド部２４の側面の長手方向長さに対して相対的に大きい曲率半径のＲ面を有し、外側に膨らんだ形状に形成されている。そして、このＲ面のほぼ全長に、スライド受け部１２の係止部２２の凹凸と係合する凹凸が設けられた湾曲係合部３２が形成されている。また、湾曲係合部３２の中央部の頂点を挟んだ長手方向の両側には、貫通孔である一対の挿通孔３４が形成されている。挿通孔３４の内面は、図４（ｂ）に示すように、内径が両端の各開口側から中心に向かって徐々に細くなり、孔の貫通方向断面形状が、鼓状に形成されている。
【００１７】
湾曲係合部３２に対して側方に位置するスライド部２４の両側面には、スライド受け部１２内面に接して摺動可能に、略長方形の凸状に僅かに盛り上がった摺動ガイド部３６が各々設けられている。湾曲係合部３２の反対側に位置するスライド部２４の側面には、図３（ｂ）、図４（ａ）に示すように、スライド部２４の長手方向に凹状にくり抜かれた凹部４０が形成されている。凹部４０は、後述するボルト４２に螺合するナット３８が嵌合し、その対向する側面間の幅とほぼ同じ幅に形成されている。凹部４０の底面には、各挿通孔３４の中心軸付近を頂点として、スライド部２４の長手方向に湾曲したなだらかな湾曲凸部４０ａが各々形成されている。
【００１８】
各挿通孔３４には、スライド受け部１２の係止穴２０にワッシャを介して２本の調整ボルト４２が各々挿通されている。そして、図４（ｂ）に示すように、スライド受け部１２の係止部２２と、湾曲係合部３２の凹凸が各々噛み合い状態で固定可能に、各調整ボルト４２が各ナット３８に各々螺合している。
【００１９】
次に、この実施形態の扉取り付け金具１０の調整方法について説明する。まず、図５に示すように、調整ボルト４２を、係止部２２と湾曲係合部３２が噛み合わない位置まで緩める。すると、スライド部２４がスライド受け部１２の嵌挿部１２ａ内で摺動可能となり、扉支持部材３０をスライド受け部１２の長手方向に位置調整することができる。さらに、スライド部２４の位置合わせの後、調整ボルト４２を締め付けて、スライド部２４のスライド受け部１２に対する角度を調節する。調節は、各調整ボルト４２をゆるめた状態で、一方を締め付けると、締め付けた方にスライド部２４の湾曲係合部３２が係止部２２側へ揺動する。この動きは、スライド受け部１２の係止部２２の凹凸に湾曲係合部３２が曲面に沿って僅かに寄せられることにより行われる。そして、扉支持部材３０の位置が所定の位置になるまで、上記調整を繰り返し、両調整ボルト４２をその状態で締め付けて完了する。
【００２０】
次に、この実施形態の扉取り付け金具１０の使用方法について説明する。ここでは、図６に示すように一対の扉５０を一対の門柱５２に取り付ける。まず、ケース体１６のスライド受け部１２へスライド部２４を挿入し、調整ボルト４２をスライド受け部１２の係止穴２０からスライド部２４の挿通孔３４に挿入し、凹部４０にナット３８を入れて、調整ボルト４２を適宜締める。この後、扉を取り付ける門柱５２、扉５０の高さに合わせた上下２カ所の所定位置に、ケース体１６の取り付け穴１４ａに図示しないビスを挿通して各々固定する。そして、扉５０に設けられた上下の嵌合受け部５４に、各支持軸２８を嵌合させて、扉５０を門柱５２に取り付ける。図６に示すように、一対の扉５０について、同様にして取り付ける。続いて、一対の扉５０の各扉取り付け金具１０の調整ボルト４２を上述の方法により調整し、一対の扉５０が所定の高さ位置で面一になるように調節する。
【００２１】
この実施形態の扉取り付け金具１０は、アルミダイキャストにより形成されているため、錆びたりせず耐久性があり、長期間に亘り美観を損なわないものである。さらに、ケース体１６のスライド受け部１２に扉支持部材３０のスライド部２４が嵌挿され支持されるため、扉支持部材３０に加わる扉５０の荷重が、スライド部２４からケース体１６のスライド受け部１２の内面全体で受けられ、強度が高い。そのため、調整ボルト４２へ直接扉５０の荷重が加わらず、耐久性が高い。また、スライド受け部１２の係止部２２の凹凸部に、スライド部２４の湾曲係合部３２の凹凸が大きなＲで幅広く噛み合って係止され、２本の調整ボルト４２による微妙な調整がやりやすく、調整による力を比較的広い面で受けるため、調整部分の強度も高い。さらには、少ない部品点数で、正確な微調整が可能な構造であり、コストも安価である。また、調整時に調整ボルト４２がナット３８から外れても、扉５０が脱落することが無く安全性も高いものである。
【００２２】
次に、この発明の扉取り付け金具の第二実施形態について、図７〜図１０を基にして説明する。ここで、上記実施形態と同様の部材は同一の符号を付して説明を省略する。この実施形態の扉取付金具６０も、ケース体１６のスライド受け部１２の中空の嵌挿部１２ａで、扉支持部材３０のスライド部２４を摺動自在に保持している。スライド受け部１２の内壁面に、半円弧状の溝１２ｂを設け、扉支持部材３０のスライド部２４が延出した側面とは反対側の側面に、ボルト軸支部である貫通したＵ字状溝６２を形成して、扉支持部材３０を摺動させる位置決めボルト６４が取り付けられている。位置決めボルト６４は、Ｕ字溝６２に鍔部６６が嵌合して、スライド受け部１２に対して軸回りに回転可能であるとともに軸方向には動かない。位置決めボルト６４は、調整ボルト４２を避けてその側方に位置し、スライド部２４の湾曲係合部３２の挿通孔３４の側方に位置した雌ネジ状の半円弧溝である湾曲螺合部７０に、雄ネジ部６４ａが螺合している。また、軸支部２６の湾曲螺合部７０とは反対側の面には、湾曲螺合部７０と雄ネジ部６４ａとの係合が外れないように、取付状態で、門柱等の側面に当接する当接突起７２が一体に設けられている。
【００２３】
また、この実施形態の扉支持部材３０の軸支部２６には、上記実施形態の支持軸２８の代わりに門扉側に設けられた支持軸を受ける軸受け孔７４が形成されている。
【００２４】
次に、この実施形態の扉取り付け金具６０の調整方法について説明する。まず、調整ボルト４２を緩めて、係止部２２と湾曲係合部３２が噛み合わないとともに、湾曲螺合部７０と位置決めボルト６４の雄ネジ部６４ａが螺合した状態に緩める。このとき、当接突起７２が門柱等に当たるので、必要以上にゆるむことはない。この状態で、位置決めボルト６４を回転させて、スライド部２４をスライド受け部１２内で移動させ所定の位置に調整する。さらに、一対の調整ボルト４２を締め付けて、上記実施形態と同様にスライド部２４のスライド受け部１２に対する角度を調節する。
【００２５】
この実施形態の扉取り付け金具６０の使用方法は上記実施形態と同様であり、扉を各扉支持部材３０に取り付け、扉の前後左右の位置を、上記調整方法により調整する。
【００２６】
この実施形態の扉取付金具６０によれば、上記実施形態と同様の効果に加えて、扉支持部材３０の位置決めを、調整ボルト４２に加えて位置決めボルト６４により行うことができ、扉の水平方向の位置決めをより容易に行うことができ、特に前後左右に正確に微調整することができる。しかも、部品点数は上記実施形態に位置決めボルト６４が増えるだけであり、コストの増加もほとんどないものである。
【００２７】
次に、この発明の扉取り付け金具の第三実施形態について、図１１、図１２を基にして説明する。ここで、上記実施形態と同様の部材は同一の符号を付して説明を省略する。この実施形態の扉取付金具８０は、スライド受け部１２の正面側には上記実施形態の長円状の係止穴２０が設けられておらず、一対の側壁部８２により扉支持部材３０のスライド部２４を受けている。そして、スライド受け部１２の取付面１２ｃである背面側に半円弧状の溝１２ｂが形成されている。取付面１２ｃには、溝１２ｂと平行に長円状の係止穴８６が形成され、その両側には、係止穴８６の長手方向に沿って直線上に位置した凹凸部から成る係止部８８が形成されている。スライド受け部１２の扉支持部材３０のスライド部２４が延出した面とは反対側の側面に、貫通したＵ字状溝８４が形成され、溝１２ｂにつながっている。溝１２ｂとＵ字状溝８４には、上記実施形態と同様に、扉支持部材３０を摺動させる位置決めボルト６４が取り付けられている。
【００２８】
扉支持部材３０のスライド部２４は、上記実施形態とは湾曲係合部３２及び湾曲螺合部７０の向きが反対側の取付面１２ｃ側に面している。そして、湾曲係合部３２には係止部８８が係合し、湾曲螺合部７０に位置決めボルト６４の雄ネジ部６４ａが螺合している。
【００２９】
この実施形態の扉支持部材３０のスライド部２４にも、一対の挿通孔３４が形成され、図示しないワッシャを介して２本の調整ボルト４２が挿通孔３４に各々挿通されている。調整ボルト４２は、挿通孔３４を貫通してスライド受け部１２の取付面１２ｃ側の係止穴８４から突出し、各々図示しないナットに螺合し、湾曲係合部３２の凹凸が係止部８８と各々噛み合い状態となり、各調整ボルト４２が固定されている。また、スライド受け部１２には扉支持部材３０のスライド部２４が露出しているので、スライド受け部１２を覆うカバー９０が設けられている。
【００３０】
次に、この実施形態の扉取り付け金具６０の調整方法について説明する。まず、調整ボルト４２を緩めて、係止部８８と湾曲係合部３２が噛み合わないとともに、湾曲螺合部７０と位置決めボルト６４の雄ネジ部６４ａが螺合した状態に緩める。この状態で、位置決めボルト６４を回転させて、スライド部２４をスライド受け部１２内で移動させ所定の位置に調整する。さらに、一対の調整ボルト４２を締め付けて、上記実施形態と同様にスライド部２４のスライド受け部１２に対する角度を調節し、カバー８５を被せる。
【００３１】
この実施形態の扉取り付け金具８０の使用方法は上記実施形態と同様であり、扉を各扉支持部材３０に取り付け、扉の前後左右の位置を、上記調整方法により調整する。この実施形態の扉取付金具８０によれば、上記実施形態と同様の効果に加えて、構造が簡単になり、カバー８５を取り付けることにより外観上もスッキリとする。
【００３２】
次に、この発明の扉取り付け金具の第四実施形態について、図１３を基にして説明する。ここで、上記実施形態と同様の部材は同一の符号を付して説明を省略する。この実施形態の扉取付金具９０は、湾曲螺合部７０をスライド部２４の両側面に形成したものである。これにより、調整ボルトを用いなくても図面上下方向にスライド部２４の軸支部２６を揺動させることができる。
【００３３】
なお、この発明の扉取り付け金具は上記実施形態に限定されるものではなく、調整ボルトは、ナットと螺合し調整可能であればよいため、支持部材とケース体を係止可能な強度を有していればよい。また、ケース体及び支持部材の大きさは、使用する門柱などに合わせて適宜設定可能である。
【図面の簡単な説明】
【００３４】
【図１】この発明の第一実施形態の扉取り付け金具を示す概略斜視図である。
【図２】この発明の第一実施形態の扉取り付け金具を示す平面図（ａ）と、正面図（ｂ）と、右側面図（ｃ）である。
【図３】この発明の第一実施形態の扉取り付け金具の支持部材を示す概略斜視図（ａ）と、（ａ）と反対方向からの概略斜視図（ｂ）である。
【図４】この発明の第一実施形態の扉取り付け金具の背面図（ａ）と、（ａ）のＡ−Ａ断面図（ｂ）である。
【図５】この発明の第一実施形態の扉取り付け金具のスライド部の揺動状態を示す部分拡大断面図である。
【図６】この発明の第一実施形態の扉取り付け金具の使用状態を示す正面図である。
【図７】この発明の第二実施形態の扉取り付け金具を示す概略斜視図である。
【図８】この発明の第二実施形態の扉取り付け金具の調整ボルト位置での横断面図である。
【図９】この発明の第二実施形態の扉取り付け金具の位置決めボルト位置での横断面図である。
【図１０】この発明の第二実施形態の扉取り付け金具の分解斜視図である。
【図１１】この発明の第三実施形態の扉取り付け金具を示す概略斜視図である。
【図１２】この発明の第三実施形態の扉取り付け金具の分解斜視図である。
【図１３】この発明の第四実施形態の扉取り付け金具の横断面図である。
【符号の説明】
【００３５】
１０  扉取り付け金具
１２  スライド受け部
１２ａ  嵌挿部
１６  ケース体
１８，４０  凹部
２０  係止穴
２２  係止部
２４  スライド部
２８  支持軸
３０  扉支持部材
３２  湾曲係合部
３４  挿通孔
４０ａ  湾曲凸部
４２  調整ボルト
【図１】
2008138500.tif 000003
【図２】
2008138500.tif 000004
【図３】
2008138500.tif 000005
【図４】
2008138500.tif 000006
【図５】
2008138500.tif 000007
【図６】
2008138500.tif 000008
【図７】
2008138500.tif 000009
【図８】
2008138500.tif 000010
【図９】
2008138500.tif 000011
【図１０】
2008138500.tif 000012
【図１１】
2008138500.tif 000013
【図１２】
2008138500.tif 000014
【図１３】
2008138500.tif 000015